(57)【要約】【課題】小型機から大判機まで安価な構成で効率の良い画像形成装置を提供する。【解決手段】下部固定部に、転写紙及び転写紙搬送部を、上部可動部に画像形成装置を各々備え此の下部固定部を軸で上部可動部を接続する事により転写紙のジャムが生じた場合ワンタッチで給紙通路を開きジャム処置を容易にする事が出来る。【選択図】図２
2009211020.tif 000002
【特許請求の範囲】
【請求項１】
下部固定部に紙送り装置を備えた給紙部及び転写紙搬送部、上部可動部に画像形成装置、ＬＥＤ露光装置〈又はレーザーＲＯＳ〉を各々備え、前記紙送り装置によりＵ型に搬送されて転写紙搬送部に送入される給紙搬送経路の外側で且つ給紙面より下側に軸を備えて接続されていることを特徴とする画像形成装置。
【請求項２】
前記装置に於いて、ワンタッチで給紙通路を開閉することを特徴とする画像形成装置。
【請求項３】
上部可動部に画像形成装置、ＬＥＤ露光装置〈又はレーザーＲＯＳ〉及び熱定着ロールを各々備え、下部固定部に紙送り装置を備えた給紙部、転写紙搬送部、及び上記熱定着ロールに対応する加圧部〈熱源を備えた加圧ロール、及び加圧ベルト熱源を備えた加圧ロール、加圧ベルト等〉を備え、前記紙送り装置よりＵ型に搬送されて転写紙搬送部に送入される給紙搬送経路の外側で且つ給紙面より下側に軸を備えて接続されている事を特徴とする画像形成装置。
【請求項４】
前記装置に於いて、上部可動部を開く際、上部可動部に備えた熱定着ロール及び下部固定部に備えた加圧部の表面を直接触れられない様にガイドが自動的に覆う事を特徴とする画像形成装置。
【請求項５】
前記装置に於いて、給紙通路が開閉するのに関連し、定着装置の転写紙狭部も開閉することを特徴とする画像形成装置。
【請求項６】
前記装置に於いて、上部可動部に操作部を備え効率良く一体化されていていることを特徴とする画像形成装置。
【請求項７】
前記装置に於いて、各々トナーカートリッジ、トナーウエストボトルのみ交換を容易にすることを特徴とする画像形成装置。
【請求項８】
前記装置に於いて、各々トナーカートリッジ、トナーウエストボトルを含む画像形成装置の交換を容易にすることを特徴とする画像形成装置。
【請求項９】
前記装置に於いて、各々トナーカートリッジ、トナーウエストボトルを含む画像形成装置の交換をユーザーが出来ないことを特徴とし、工場サイドが交換に必要な開閉ネジ等をシール材でシールし、シール材に表示することを特徴とする画像形成装置。
【請求項１０】
前記装置に於いて、工場サイドが再生加工等を行う場合、ユーザーはメーカーもしくは販売会社指定のパッキング材を使用し再生依頼をすることを特徴とする画像形成装置。
【発明の詳細な説明】
【技術の分野】
【０００１】  本発明は電子写真方式に適用した複写機、プリンター等の画像形成装置に関する。
【背景技術】
【０００２】  電子写真方式の複写機、プリンター等が市場に出て可成りの期間となり、その間技術的な進歩が早くペーパージャム以外ほとんど問題ない。従って消耗品等の交換は従来オペレーターがおこなっていたが、特に小型プリンター等はメンテを含め工場サイドで行う方法等を考えると輸送上の問題を出来るだけ効率良く行う必要がある。【０００３】  市場に於いては、画像形成装置、トナー等は消耗品として販売され、その消耗品はリサイクルされ各メーカーはこれを分解し再利用される。【０００４】  この様に主要部分が消耗品扱いで再利用されるならばプリンター自体を丸ごと工場で行う方がユーザーにとっては経済的にも有利である。同じ工場で行うにしても流通経路について色々な方法がある。【０００５】  その為には、まず効率の良いパッキング方法が必要である。【０００６】  以下、図１，により説明する。図１に於いて、Ａは下部固定部、Ｂは上部可動部。
下部Ａは紙送りを備えた給紙部１と転写紙搬送部２を備え、上部可動部Ｂに画像形成装置４，５，６，７、ＬＥＤ露光装置８，９，１０，１１を備え上部可動部Ｂと下部固定部Ａとの間の給紙搬送路に主要部分の保護及び画像形成層装置の感光ドラムの直下部近傍に若干のトナー漏れ防止を兼ねて厚さ数ｍｍのエアー入りの特殊保護紙１２を入れた。この事により効率の良いパッキング方法を提供出来る。【０００７】
【特許文献１】特開平７／７２７７７号公報
【特許文献２】特開平９−４３９１２号公報
【特許文献３】特開平１１−１７４７４４号公報
【特許文献４】特開平１１−１７４８７９号公報
【特許文献５】特開平１１−３２７２１８号公報
【特許文献７】特開平１１−３２７２２０号公報
【特許文献８】特願２００４−３０３５４９号公報
【特許文献９】特願２００５−２６９０８５号公報
【特許文献１０】特願２００７−２４８１５号公報
【発明の開示】
【発明が解決しようとする課題】
【０００８】  以上述べた従来の画像形成装置には、それぞれ以下の問題点がある。【０００９】  本発明はこの様な従来の構成が有した問題点を解決しようとするものであり、画像形成装置からジャム処理を極めて瞬時に行う事を目的とするものである。
【課題を解決するための手段】
【００１０】  そして、本発明は上記目的を達成するために下部固定部に紙送り装置を備えた給紙部及び転写紙搬送部、上部可動部に画像形成装置、ＬＥＤ露光装置〈又はレーザＲＯＳ〉を各々備え、前記紙送り装置によりＵ型に搬送されて転写紙搬送部に送入される給紙搬送経路の外側で且つ給紙面より下側に軸を備えて接続されていることにより開閉が容易である。【００１１】  ジャム処理が問題なく行えることになると消耗品等の交換は従来使用者がおこなっていたが、特に小型プリンター等はメンテナンスを含め工場サイドで行う方法等か考えられる。従って輸送上の問題を出来るだけ効率良く行う必要がある。【００１２】  前記に於いて、上部可動部と下部固定部の給紙搬送経路に主要部分の保護及び画像形成装置の感光ドラムの直下部近傍に若干のトナー漏れ防止を兼ねて厚さ数ｍｍのエアー入りの特殊保護紙を入れ事が容易である。
【発明の効果】
【００１３】  この様に主要部分が消耗品扱いで再利用されるならばプリンター自体丸ごと工場でおこなった方がより効率よく使用者にとっても経済的にゆうりである。又同じ工場で行うにしても流通経路は色々な方法がある。【００１４】  上述したように本発明の画像形成装置は単色機からフルカラー機まで、小型機から大型機まで幅広く可能である。
【発明を実施するための最良の形態】
【００１５】以下、本発明の実施の形態を図１〜図＊に基づいて説明する。【００１６】  図１により従来の画像形成装置について説明する。転写紙１１は転写紙送りローラＡ１２より送られた転写紙送りローラ１３，１４により送られ内部搬送部Ｃに送られる。内部搬送部Ｃの主要部品は搬送ベルトローラＡ、搬送ベルトローラＢ１７、圧力ローラ１８より構成され、送り込まれた転写紙は転写紙押さえローラ１５により画像形成装置Ａ〈赤〉、画像形成装置Ｂ〈黒色〉に送られ、圧力ローラ１８がベルト裏面より画像形成装置内の感光ドラムに加圧し転写紙に転写紙定着ローラ２２と加圧ローラ２３により定着され排紙ローラ２４，２５により排出される。停電及びジャムが発生した場合、上部カバーＥを開き、ＬＥＤ露光装置６，画像形成装置Ａ，Ｂを外に出し転写紙を取り除く必要がある。定着部で転写紙が出ている場合サイドカバー３３を開くことにより加圧ローラ２３が開き〈不図〉転写紙を引き出せるが、転写紙の端部が未だ感光ドラムに接している場合感光ドラムのライフを縮める事になる。【００１７】  図２は転写紙１１の搬送は図１に示す通りであるが、下部固定部３００に紙送り装置を備えた給紙部３０１及び転写紙搬送部３０２、上部可動部３０３に画像形成装置３０４，３０５，３０６，３０７，ＬＥＤ露光装置〈又はレザーＲＯＳ〉３０８，３０９，３１０，３１１，操作部３１２を各々備え、紙送り装置を備えた給紙部３０１によりＵ型に搬送されて転写紙搬送部３０２に送入される給紙搬送経路の外側で且つ給紙面より下側に軸３１３を備えて接続されている。【００１８】  図３は停電及びジャムが生じた場合を想定し、転写紙３１４の入口から出口までの搬送路に於いて、定着部を除く搬送路の下部を一体構造であるため、上部可動部３０３を開閉することにより容易にジャム処理が行う事が出来る。【００１９】  図３は給紙通路が開閉するのに関連し、定着装置の転写紙狭部も開閉出来る。【００２０】  図４は上部可動部３０３を開く際、上部可動部３０３に備えた熱定着ロール３５０及び下部固定側板３６１に備えた加圧ローラ３５６の表面を直接触れられない様に下部ガイド３５７、上部ガイド３６８が自動的に覆う事により容易にジャム処理が行う事が出来る。【００２１】  図５は上部可動部３０３を開いた状態を示す。上部に備えた熱定着ロール３５０の表面及び下部固定部３００に備えた加圧部の表面を上部ガイド３６８、下部ガイド３５７が覆はれている状態。【００２２】  図６は頻度の多い各々のトナーカートリッジ３６９、トナーウエストボトル３７０、ベルトトナーウェストボトル３７１のみ交換を容易にした。又各々の画像形成装置３０４，３０５，３０６，３０７等はオペレーターが触れられない様にすることも出来るようにし、工場サイドのみが開閉出来る様にし開閉に必要なネジ３７２〈特殊ネジも含む〉等をシール材３７３でシールし、このシール材３７３を注意書にする。【００２３】  図７は頻度の多い各々のトナーカートリッジ３６９、トナーウエストボトル３７０、ベルトトナーウエストボトル３７１を含む画像形成装置３０４，３０５，３０６，３０７の交換を工場さいどのみが開閉出来る様にし開閉に必要なネジ３７２〈特殊ネジも含む〉等��シール材３７３でシールし、このシール材３７３を注意書にする。【００２４】  図８、図９は工場サイド及びこの関連企業がメンテナンス等〈リサイクル方式も含む〉を行う際ユーザー〈又は代行者〉はメーカー〈又は工場〉もしくは販売会社の指定のパッキング材３７４を使用してメンテナンスを含む再生依頼をする為に給紙通路内に入れる。【００２５】  図１０は使用状態を示す。図１０に示す上部ガイド３６８はラックボックス３５１内に備えられたラックＡ３５２及び熱定着ローラ３５０の中心にあるラックギア３５３により熱定着ロールの上部にあり、開いた状態〈図１１〉に於いては反時計方向に回転する。ステー３５５の目的は、熱定着ロール３５０に接している剥離爪３５４を開いた状態〈図１１〉で開放させる為である。現状に於いては剥離爪３５４には接して無く上部ガイド３５４により規制され押さえられている。下部ガイド３５７は加圧ローラ３５６の中心にあるラックギア３５８とラックＢ３５９により作動出来、ラックＡ３５２とラックＢ３５９は各々スプリング３７５，３７６により連結されている。図１０Ａは上部ガイド３６８、下部ガイド３５７の動作をラックＡ３５２、ラック３５９の代わりに扇形ギアＡ３７７、扇形ギア３７８を使用した。扇形ギアＡ３７７はスプリング３７９により上部可動部３０３と係合し、下部固定部より受け金具Ａ３８０で受けている。
扇形ギアＢ３７８はスプリング３８１により下部固定部３００と係合し、上部可動部３０３より受け金具Ｂ３８２で受けている。【００２６】  図１１は上部可動部３０３を開いた状態を示す。上部可動部３０３が開く事によりラックスプリング３７５、３７６によりラックＡ３５２及びラックＢ３５９が作動し上部ガイド３５４は熱定着ローラ３５０を覆い上部ガイド３６８で規制されていたステー３５５は規制を解かれスプリング３６０により上部剥離爪３５４を上部加熱ローラ３５０から離れる。【００２７】  加圧ローラ３５６は下部可動側板３６２にベアリングを介し取り付けられ下部可動測板３６２は下部定着固定側板３６１に支点軸３６３と加圧スプリング３６４で支えられ、上下の可動範囲は下部可動側板３６２より爪３６６が下部定着固定側板３６１の長穴３８３により規制される。【００２８】  図１０の使用状態から図１１の上部可動部３０３を開いた状態にすると熱定着ローラ３５０により加圧されていた加圧ローラ３５６は加圧スプリング３６４により支点軸３６３を中心に上方向に動く事により下部定着固定側板３６１に固定された軸３６５により下部剥離爪３６７を加圧ローラ３５６から離す事が出来る。
【産業上の利用可能性】
【００２９】  上述したように本発明の画像形成装置は画像形成装置の基本であるジャム処理を極めて簡素化されているため、フルカラーのプリンターにも利用され、又本発明は小型機から大判機まで単色機からフルカラー機まで幅広く利用出来る。
【図面の簡単な説明】
【００３０】
【図１】  図１は従来の画像形成装置
【図２】  本発明の実施形態を示す画像形成装置其の１
【図３】  本発明の実施形態を示す画像形成装置其の２
【図４】  本発明の実施形態を示す画像形成装置其の３
【図５】  本発明の実施形態を示す画像形成装置その４
【図６】  本発明の実施形態を示す画像形成装置其の５
【図７】  本発明の実施形態を示す画像形成装置其の６
【図８】  本発明の実施形態を示す画像形成装置其の７
【図９】  本発明の実施形態を示す画像形成装置其の８
【図１０】  本発明の実施形態を示す画像形成装置其の９
【図１１】  本発明の実施形態を示す画像形成装置其の１０
【符号の説明】
【００３１】    １      ドラム軸                  １９      固定金具
２      感光ドラム                ２０      スプリング
３      支点軸                    ２１      駆動モータ
４      側板Ａ                    ２２      定着ローラ
５      側板Ｂ                    ２３      加圧ローラ
６      ＬＥＤ露光装置            ２４      排紙ローラ
７      現像装置                  ２５      排紙ローラ
７−１  現像ローラ                ３０      マグネット
７−２  現像ローラブレード        ３１      固定ストッパー
７−３  トナー供給ローラ          ３２      鉄片
７−５  トナーカートリッジ        ２３ａ    加圧部
８      帯電ローラ                  Ｈ      受け部
９      クリーニング装置          ３４      上部軸
９−１  クリーナーブレード        ３５      センター軸
９−２  ウエストトナー送り軸      ３６      下部軸
９−３  トナー防止ブレード        ３７      支えバネ
１０      イレーサーランプ          ３８      固定軸
Ａ      画像形成装置〈赤色〉      ３９      圧力バネ
Ｂ      画像形成装置〈黒色〉      ４０      加圧ローラＡ
Ｃ      内部搬送部                ４１      加圧ローラＢ
Ｄ      搬送ベルト                ４２      加圧用スプリング
Ｅ      上部カバー                ４３      加圧調整ネジ
Ｆ      Ｕ溝                      ４４      支点
Ｇ      Ｕ溝                      ４５      中間軸
１１      転写紙                    ４６      ステー
１２      転写紙送りローラＡ        ４７      アームステー
１３      転写紙送りローラＢ        ４８      アームａ
１４      転写紙送りローラＣ        ４９      アームｂ
１５      転写紙押さえローラ
１６      搬送ベルトローラＡ
１７      搬送ベルトローラＢ
１８      圧力ローラ
３００      下部固定部              ３６６      爪
３０１      給紙部                  ３６７      下部剥離爪
３０２      転写紙搬送部            ３６８      上部ガイド
３０３      上部可動部              ３６９      トナーカートリッジ
３０４      画像形成装置            ３７０      トナーウエストボトル
３０５      画像形成装置            ３７１      ベルトトナーウエストボトル
３０６      画像形成装置            ３７２      ネジ〈開閉専用〉
３０７      画像形成装置            ３７３      シール材
３０８      ＬＥＤ露光装置          ３７４      パッキング材
３０９      ＬＥＤ露光装置          ３７５      ラックスプリング
３１０      ＬＥＤ露光装置          ３７６      ラックスプリング
３１１      ＬＥＤ露光装置          ３７７      扇形ギアＡ
３１２      操作部                  ３７８      扇形ギアＢ
３１３      軸                      ３７９      スプリング
３１４      転写紙                  ３８０      受け金具Ａ
３１５      定着装置                ３８１      スプリング
３５０      熱定着ロール            ３８２      受け金具Ｂ
３５１      ラックボックス          ３８３      長穴
３５２      ラックＡ
３５３      ラックギア
３５４      剥離爪
３５５      ステー
３５６      加圧ローラ
３５７      下部ガイド
３５８      ラックギア
３５９      ラックＢ
３６０      スプリング
３６１      下部固定側板
３６２      下部可動側板
３６３      支点軸
３６４      加圧スプリング
３６５      軸
【図１】
2009211020.tif 000003
【図２】
2009211020.tif 000004
【図３】
2009211020.tif 000005
【図４】
2009211020.tif 000006
【図５】
2009211020.tif 000007
【図６】
2009211020.tif 000008
【図７】
2009211020.tif 000009
【図８】
2009211020.tif 000010
【図９】
2009211020.tif 000011
【図１０】
2009211020.tif 000012
【図１０Ａ】
2009211020.tif 000013
【図１１】
2009211020.tif 000014
【手続補正書】
【提出日】平成20年5月1日(2008.5.1)
【手続補正２】
【補正対象書類名】明細書
【補正対象項目名】００３０
【補正方法】変更
【補正の内容】
【００３０】
【図１】図１は従来の画像形成装置
【図２】本発明の実施形態を示す画像形成装置其の１
【図３】本発明の実施形態を示す画像形成装置其の２
【図４】本発明の実施形態を示す画像形成装置其の３
【図５】本発明の実施形態を示す画像形成装置其の４
【図６】本発明の実施形態を示す画像形成装置其の５
【図７】本発明の実施形態を示す画像形成装置其の６
【図８】本発明の実施形態を示す画像形成装置その７
【図９】本発明の実施形態を示す画像形成装置其の８
【図１０】本発明の実施形態を示す画像形成装置其の９
【図１０Ａ】本発明の実施形態を示す画像形成装置其の１０
【図１１】本発明の実施形態を示す画像形成装置其の１１